(57)【要約】【課題】  従来技術では、内部で作成された映像信号を、表示することしかできず、利用者は、やがてその映像に飽きてしまい、映像が表示されていないことと、ほぼ変わらない状態となってしまう。【解決手段】  本件発明は、上記課題に鑑みなされたものである。  第一の発明は、映像情報又は／及び音声情報を構成するための信号を独立して同時に複数選択取得するための映像音声信号選択取得部と、映像音声信号選択取得部が選択取得したそれぞれの信号に基づいて、映像情報か、音声情報か、を選択して出力する複数の映像音声選択出力部と、前記複数の映像音声選択出力部の一から出力される映像情報を外部出力のために処理する映像情報処理部と、前記複数の映像音声選択出力部の他の一から出力される音声情報を外部出力のために処理する音声情報処理部と、を有するテレビジョン装置に関する。【選択図】  図１
2005354208.tif 000002
【特許請求の範囲】
【請求項１】
映像情報又は／及び音声情報を構成するための信号を独立して同時に複数選択取得するための映像音声信号選択取得部と、
映像音声信号選択取得部が選択取得したそれぞれの信号に基づいて、映像情報か、音声情報か、を選択して出力する複数の映像音声選択出力部と、
前記複数の映像音声選択出力部の一から出力される映像情報を外部出力のために処理する映像情報処理部と、
前記複数の映像音声選択出力部の他の一から出力される音声情報を外部出力のために処理する音声情報処理部と、
を有するテレビジョン装置。
【請求項２】
前記映像音声信号選択取得部は、信号として放送波を選択取得するための複数のチューナ手段を含む請求項１に記載のテレビジョン装置。
【請求項３】
前記映像音声信号選択取得部は、信号として有線信号を選択取得するための複数の有線信号入力手段を含む請求項１又は２に記載のテレビジョン装置。
【請求項４】
前記映像音声信号選択取得部は、信号として少なくとも放送波を取得するための一のチューナ手段及び、信号として少なくとも有線信号を取得するための一の有線信号入力手段を有する請求項１に記載のテレビジョン装置。
【請求項５】
前記映像音声信号選択取得部は、利用者が選択操作するための選択操作手段を有し、
前記選択操作手段は、取得すべき複数の信号を選択する手段の間で相互に独立に操作可能である独立操作器を有する請求項１に記載のテレビジョン装置。
【請求項６】
前記選択操作手段は、前記独立操作器に代えて、取得すべき複数の信号を共通の手段で選択する共通操作器と、
前記共通操作器ですでに選択された信号の映像情報又は音声情報を構成するための信号を共通操作器では選択変更不能に固定する固定器と、
を有する請求項５に記載のテレビジョン装置。
【請求項７】
テキスト情報、映像情報、音声情報のいずれか一又は二以上を構成するための信号を独立して同時に複数取得するための信号取得部と、
信号取得部が取得したそれぞれの信号に基づいて、テキスト情報か、映像情報か、音声情報か、を選択して出力する複数の選択出力部と、
前記複数の選択出力部の一から出力される映像情報を外部出力のために処理する映像情報処理部と、
前記複数の選択出力部の他の一から出力される音声情報を外部出力のために処理する音声情報処理部と、
前記複数の選択出力部のさらに他の一から出力されるテキスト情報を外部出力のために処理するテキスト情報処理部と、
を有するテレビジョン装置。
【発明の詳細な説明】
【技術分野】
【０００１】
本件発明は、テレビジョン放送などの、映像、音声出力を、それぞれ独立して切替えることができるテレビジョン装置に関する。
【背景技術】
【０００２】
近年、テレビジョン放送において、映像と音声をそれぞれ独立して楽しむ利用者が増えてきている。例えば、地上波デジタルテレビジョン放送の大リーグ中継（映像のみ）を観ながら、ＦＭラジオ放送から好きな音楽を聴くことができる。しかし、テレビジョン装置とＦＭラジオ放送を同時に視聴するためには別々の装置が必要である。そして、テレビとラジオの置いてある場所が離れている場合には、映像は観ることができるけれども、音声は聴きづらかったり、あるいはその逆であったりするのでどちらかの装置を移動する必要があり不便である。そのため、映像と音声を独立して共通に操作できる一体型の装置が期待されている。また音声に関しては、例えば、地上波デジタルラジオ放送では、テレビジョン装置で音声のみのラジオ放送を聴くことができる。しかし、地上波デジタルラジオ放送では、映像はないか、あったとしても簡易的な動画のみである。このため、音声を聴く際に、無機質なテレビジョン装置の画面が目の前にあることにより、利用者は音声を楽しむことに対する興味を、半減させられてしまう可能性がある。そのため、テレビジョン装置でラジオ放送などの音声のみを楽しみたい場合にも、テレビジョン装置の画面に何らかの映像を表示することができるテレビジョン装置が熱望されている。
【０００３】
映像と音声を、別々のソースから出力する技術としては、特許文献１に示すような技術が提案されている。特許文献１は、独立音声の受信時に、この独立音声に適した映像を内部で作成してテレビ画面に表示することができる衛星放送内蔵のテレビジョン装置を提供することを目的とするものである。
【特許文献１】特開平８−７９６４２公報
【発明の開示】
【発明が解決しようとする課題】
【０００４】
しかしながら、このような技術では、内部で作成された映像信号を、表示することしかできず、利用者は、やがてその映像に飽きてしまい、映像が表示されていないことと、ほぼ変わらない状態となってしまう。
【課題を解決するための手段】
【０００５】
本件発明は、上記課題に鑑みなされたものである。
【０００６】
第一の発明は、映像情報又は／及び音声情報を構成するための信号を独立して同時に複数選択取得するための映像音声信号選択取得部と、映像音声信号選択取得部が選択取得したそれぞれの信号に基づいて、映像情報か、音声情報か、を選択して出力する複数の映像音声選択出力部と、前記複数の映像音声選択出力部の一から出力される映像情報を外部出力のために処理する映像情報処理部と、前記複数の映像音声選択出力部の他の一から出力される音声情報を外部出力のために処理する音声情報処理部と、を有するテレビジョン装置に関する。
【０００７】
第二の発明は、前記映像音声信号選択取得部は、信号として放送波を選択取得するための複数のチューナ手段を含む第一の発明に記載のテレビジョン装置に関する。
【０００８】
第三の発明は、前記映像音声信号選択取得部は、信号として有線信号を選択取得するための複数の有線信号入力手段を含む第一の発明又は第二の発明に記載のテレビジョン装置に関する。
【０００９】
第四の発明は、前記映像音声信号選択取得部は、信号として少なくとも放送波を取得するための一のチューナ手段及び、信号として少なくとも有線信号を取得するための一の有線信号入力手段を有する第一の発明に記載のテレビジョン装置に関する。
【００１０】
第五の発明は、前記映像音声信号選択取得部は、利用者が選択操作するための選択操作手段を有し、前記選択操作手段は、取得すべき複数の信号を選択する手段の間で相互に独立に操作可能である独立操作器を有する第一の発明に記載のテレビジョン装置に関する。
【００１１】
第六の発明は、前記選択操作手段は、前記独立操作器に代えて、取得すべき複数の信号を共通の手段で選択する共通操作器と、前記共通操作器ですでに選択された信号の映像情報又は音声情報を構成するための信号を共通操作器では選択変更不能に固定する固定器と、を有する第五の発明に記載のテレビジョン装置に関する。
【００１２】
第七の発明は、テキスト情報、映像情報、音声情報のいずれか一又は二以上を構成するための信号を独立して同時に複数取得するための信号取得部と、信号取得部が取得したそれぞれの信号に基づいて、テキスト情報か、映像情報か、音声情報か、を選択して出力する複数の選択出力部と、前記複数の選択出力部の一から出力される映像情報を外部出力のために処理する映像情報処理部と、前記複数の選択出力部の他の一から出力される音声情報を外部出力のために処理する音声情報処理部と、前記複数の選択出力部のさらに他の一から出力されるテキスト情報を外部出力のために処理するテキスト情報処理部と、を有するテレビジョン装置に関する。
【発明の効果】
【００１３】
本件発明によれば、音声と映像の出力をそれぞれ独立に切替えることができるので、音声を聴きながら、音声とは無関係の裏番組などの映像を見ることができる。また映像を見ながら、映像とは無関係の裏番組などの音声を聴くことができる。このため、利用者は、飽きることなく、映像と音声をそれぞれ独立に楽しむことができる。
【発明を実施するための最良の形態】
【００１４】
以下に本件発明の実施形態を説明する。実施形態と、請求項との関係はおおむね次のようなものである。
実施形態１は、主に、請求項１について説明している。
実施形態２は、主に、請求項２について説明している。
実施形態３は、主に、請求項３について説明している。
実施形態４は、主に、請求項４について説明している。
実施形態５は、主に、請求項５について説明している。
実施形態６は、主に、請求項６について説明している。
実施形態７は、主に、請求項７について説明している。
以下に、図を用いて本発明の実施の形態を説明する。なお、本発明はこれら実施の形態に何ら限定されるものではなく、その要旨を逸脱しない範囲において、種々なる態様で実施しうる。
【００１５】
<<実施形態１>>
以下に、実施形態１について説明する。
<実施形態１の概念>
以下に、本実施形態の概念について説明する。本実施形態のテレビジョン装置は、映像情報又は／及び音声情報を構成するための信号を独立して同時に複数選択取得することができる。そして、その中の一つを映像信号として使用し、他の一つを音声信号として使用することができる。映像信号はディスプレイに表示され、音声信号は、スピーカから出力される。このため、音楽番組など（音声のみ）を聴きながら、スポーツ番組など（映像のみ）を楽しむ、といったことができる。
図１は、実施形態１の概念の一例を示すための図である。テレビジョン装置０１００は、スピーカ０１０１、０１０２より音楽番組の音声を出力し、ディスプレイ０１０３よりスポーツ番組（サッカー）の映像を出力する。このためテレビの利用者は、好きな音声と好きな映像をそれぞれ独立に組み合わせて視聴することができる。
【００１６】
<構成要件の明示>
以下に、本実施形態のテレビジョン装置の構成要件を明示する。
図２は、本実施形態のテレビジョン装置の機能ブロックの一例を示す図である。テレビジョン装置０２００は、映像音声信号選択取得部０２０１と、映像音声選択出力部０２０２、０２０３、０２０４、０２０５と、映像情報処理部０２０６と、音声情報処理部０２０７と、からなる。なお、映像音声選択出力部は、四つに限定されるものではなく、二つ以上であればよい。
【００１７】
<構成要件の説明>
以下に、本実施形態の構成要件の説明をする。
（映像音声信号選択取得部）
「映像音声信号選択取得部」は、映像情報又は／及び音声情報を構成するための信号を独立して同時に複数選択取得する。ここで「独立して」とは、相互に無関係にチャンネル選択が可能であることを意味する。また「選択取得する」とは、複数の映像情報又は／及び音声情報を構成するための信号の中から一つを選択して受信し、該信号を取得することをいう。「映像情報又は／及び音声情報」には、一例として、テレビジョンやラジオのアナログ放送（地上波、衛星放送波など）、テレビジョンやラジオのデジタル放送（地上波、衛星放送波など）、ケーブルテレビの有線放送、インターネット上での放送、外部機器（オーディオ・ビデオなど）からの有線信号によるものなどが該当する。なお、「映像情報又は／及び音声情報を構成するための信号」を選択取得する構成としては、例えば、アナログ放送用チューナ、デジタル放送用チューナ、ケーブルテレビの有線放送用チューナ、インターネット接続用端子、外部機器（オーディオ・ビデオなど）からの有線信号入力端子などが該当する。独立して同時に複数選択取得された該信号は、複数の映像音声選択出力部に送出される。独立して同時に複数選択取得された該信号は、複数の映像音声選択出力部にそれぞれ対応していてもよいし、そうでなくてもよい。
なお、図２においては、映像音声信号選択取得部は、「映像情報又は／及び音声情報１」、「映像情報又は／及び音声情報２」、「映像情報又は／及び音声情報３」、「映像情報又は／及び音声情報４」を選択取得するものとしている。なお、複数選択取得される映像情報又は／及び音声情報は、四つに限定されるものではなく、二つ以上であればよい。
【００１８】
（映像音声選択出力部）
複数の「映像音声選択出力部」は、映像音声信号選択取得部が選択取得したそれぞれの信号に基づいて、映像情報か、音声情報か、を選択して出力する。ここで「基づいて」とは、選択取得した信号が、映像情報のみである場合、音声情報のみである場合、映像情報及び音声情報の両方を含む場合のそれぞれの場合について、という意味である。例えば、選択取得した信号が映像情報のみである場合には、映像音声選択出力部は、映像情報を選択して出力する。選択取得した信号が音声情報のみである場合には、映像音声選択出力部は、音声情報を選択して出力する。選択取得した信号が映像情報及び音声情報の両方を含む場合には、映像音声選択出力部は、一例として、利用者の操作に従って映像情報か、音声情報か、を選択して出力する。そして選択して出力された映像情報は映像情報処理部に送出される。ここで、選択して出力された映像情報が複数ある場合には、その中から一の映像情報が選択されて、映像情報処理部に出力される。この場合、一の映像情報の選択は、一例として、利用者の操作に従ってなされる。また選択して出力された音声情報は音声情報処理部に送出される。ここで、選択して出力された音声情報が複数ある場合には、その中から一の音声情報が選択されて、音声情報処理部に出力される。この場合、一の音声情報の選択は、一例として、利用者の操作に従ってなされる。
【００１９】
なお、図２においては、「映像情報又は／及び音声情報１」、「映像情報又は／及び音声情報２」、「映像情報又は／及び音声情報３」、「映像情報又は／及び音声情報４」にそれぞれ対応して、「映像音声選択出力部１」、「映像音声選択出力部２」、「映像音声選択出力部３」、「映像音声選択出力部４」が存在するものとしている。図２の場合には、「映像音声選択出力部１」の映像情報と、「映像音声選択出力部２」の音声情報が選択されてそれぞれ映像情報処理部と、音声情報処理部に出力されているものとしている。
【００２０】
（映像情報処理部）
「映像情報処理部」は、複数の映像音声選択出力部の一から出力される映像情報を外部出力のために処理する。ここで「処理」とは、映像情報処理部に入力された映像情報を外部出力可能な情報に変換することをいう。処理には、一例として、変調された映像情報を復調することが挙げられる。また「外部出力」には、ディスプレイなどが該当する。この場合、複数の映像音声選択出力部の出力からの一の映像情報の選択は、一例として、利用者の操作に従ってなされる。
【００２１】
（音声情報処理部）
「音声情報処理部」は、複数の映像音声選択出力部の他の一から出力される音声情報を外部出力のために処理する。ここで「処理」とは、音声情報処理部に入力された音声情報を外部出力可能な情報に変換することをいう。処理には、一例として、変調された音声情報を復調することが挙げられる。また「外部出力」には、スピーカなどが該当する。この場合、複数の映像音声選択出力部の出力からの一の音声情報の選択は、一例として、利用者の操作に従ってなされる。
【００２２】
図３は、本実施形態のテレビジョン装置０３００において、映像情報及び音声情報を選択するメニュー画面の一例を示したものである。図３において、「映像情報又は／及び音声情報１」、「映像情報又は／及び音声情報２」、「映像情報又は／及び音声情報３」、「映像情報又は／及び音声情報４」がディスプレイ０３０３に示されている。各「映像情報又は／及び音声情報」には、それぞれ「映像」ボタンと、「音声」ボタンが示されている。この「映像」ボタン、「音声」ボタンを選択することにより、利用者は希望する映像情報と音声情報を選択することができる。図３の場合には、「映像１」のボタンと、「音声２」のボタンが選択されている（図中の矢印が選択を示している）。この選択により、「映像情報又は／及び音声情報１」の映像情報がディスプレイに表示され、「映像情報又は／及び音声情報２」の音声情報がスピーカ０３０１、０３０２から出力される。また、さらに「映像３」ボタンを同時に選択することにより（図３には示していない）、映像１と映像３をディスプレイの画像を２分割して表示することや、ディスプレイに表示する画像を、１分ごとに映像１と映像３との間で切替えるというような構成とすることも可能である。
【００２３】
<処理の流れ>
以下に、本実施形態の処理の流れを説明する。
図４は、本実施形態の処理の流れである。なお、以下に示す処理の流れは、方法、計算機に実行させるためのプログラム、またはそのプログラムが記録された読み取り可能な記録媒体として実施されうる（これは、本明細書のその他の処理の流れについても同様である）。
まず、映像音声信号選択取得ステップは、映像情報又は／及び音声情報を構成するための信号を独立して同時に複数選択取得する（ステップＳ０４０１）。次に、複数の映像音声選択出力ステップは、映像音声信号選択取得ステップが選択取得したそれぞれの信号に基づいて、映像情報か、音声情報か、を選択して出力する（ステップＳ０４０２）。次に、映像情報処理ステップは、複数の映像音声選択出力ステップの一から出力される映像情報を外部出力のために処理する（ステップＳ０４０３）。次に、音声情報処理ステップは、複数の映像音声選択出力ステップの他の一から出力される音声情報を外部出力のために処理する（ステップＳ０４０４）。
なお、ステップＳ０４０３と、ステップＳ０４０４の順序は問わない。
【００２４】
（実施例１）
以下に、本実施形態の実施例１について説明する。
図５は、本実施例のテレビジョン装置の概要を示す図である。本実施例のテレビジョン装置０５００は、スピーカ０５０１、０５０２と、ディスプレイ０５０３と、ＲＦ（Ｒａｄｉｏ  Ｆｒｅｑｕｅｎｃｙ）入力端子０５０４と、ＲＦアンテナ０５０５と、外部入力端子０５０６、０５０７と、外部機器０５０８と、を有している。また、ディスプレイに表示されるＯＳＤ（Ｏｎ  Ｓｃｒｅｅｎ  Ｄｉｓｐｌａｙ）メニュー０５０９は、映像出力または音声出力を個別に切替えるためのモードを設定する。外部入力端子は、コンポジットやコンポーネントなどの映像入力や、モノラル、ステレオ音声信号などを入力するための外部入力端子である。ＲＦ入力端子は、地上波アナログ放送や、ＢＳアナログ放送などの放送信号を受信する。ＲＦアンテナは、放送信号を受信する。外部機器は、ＤＶＤ（Ｄｉｇｉｔａｌ  Ｖｅｒｓａｔｉｌｅ  Ｄｉｓｃ）プレーヤーやＣＤ（Ｃｏｍｐａｃｔ  Ｄｉｓｃ）プレーヤーなどの様々な映像オーディオソースをテレビジョン装置に出力する。
【００２５】
図６は、本実施例の具体的機能ブロック図である。本実施例のテレビジョン装置０６００は、映像音声信号選択取得部０６０１と、映像音声選択出力部０６０２、０６０３と、映像情報処理部０６０４と、音声情報処理部０６０５と、ディスプレイ０６０６と、スピーカ０６０７と、ＲＦ入力端子０６０８と、外部入力端子０６０９と、マイコン０６１０と、映像切替スイッチ０６１１と、音声切替スイッチ０６１２と、を有する。映像切替スイッチは、複数の映像音声選択出力部（図６においては二つ）から出力される複数の外部入力端子や、複数のチューナに入力された映像信号から、一つを選択して、後段の映像情報処理部へ出力する。音声切替スイッチは、複数の映像音声選択出力部（図６においては二つ）から出力される複数の外部入力端子や、複数のチューナに入力された音声信号から、一つを選択して、後段の音声情報処理部へ出力する音声切替スイッチである。映像情報処理部は、映像切替スイッチから入力された映像信号を処理し、ディスプレイに表示する。音声情報処理部は、音声切替スイッチから入力された音声信号を処理し、スピーカから出力する。マイコンは、ＯＳＤメニューで利用者によって設定されたとおりに、映像切替スイッチ及び音声切替スイッチを独立に切替え制御する。
【００２６】
ここで、利用者が、ＯＳＤメニューにしたがって、映像固定モードに設定すると、マイコンから映像切替スイッチに、現在の入力を保持するように指示が通知される。このため利用者からの切替制御は、マイコンから、音声切替スイッチのみに送られるようになり、現在表示されているチャンネル、あるいは外部入力の映像が固定され、チャンネル切替、または入力切替操作によって、音声のみが、他のチャンネル、あるいは外部入力に切替わる。一方、利用者が、ＯＳＤメニューにしたがって、音声固定モードに設定すると、マイコンから音声切替スイッチに、現在の入力を保持するように指示が通知される。このため利用者からの切替制御は、マイコンから、映像切替スイッチのみに送られるようになり、現在表示されているチャンネル、あるいは外部入力の音声が固定され、チャンネル切替、または入力切替操作によって、映像のみが、他のチャンネル、あるいは外部入力に切替わる。
【００２７】
また、ＲＦ入力端子から入力された放送のあるチャンネルの番組を見ている時に、他の番組や外部入力機器からの入力内容を確認する場合には、映像を固定し、音声のみを切替える方法と、音声を固定し、映像のみを切替える方法がある。映像を固定する場合には、利用者は、ＯＳＤメニューで映像固定モードを選択し、チャンネル切替、または入力切替などを行う。この操作により、映像切替スイッチは、現在のチャンネルのままで、音声切替スイッチのみ、切替わる。したがって、利用者は、他のチャンネルの音声、あるいは他の外部入力機器からの音声を聞くことが可能となり、裏番組の確認が、音声を聞くことにより可能になる。一方、音声を固定する場合には、利用者は、ＯＳＤメニューで音声固定モードを選択し、チャンネル切替え、または入力切替えなどを行う。この操作により、音声切替スイッチは、現在のチャンネルのままで、映像切替スイッチのみ、切替わる。したがって、利用者は、他のチャンネルの映像、または他の外部入力機器からの映像を見ることが可能となり、裏番組の確認が、映像を見ることにより可能になる。
【００２８】
例えば、野球などのスポーツ等、音声がなくても十分楽しめる番組を見ている際に、現在の放送とは違った音声を楽しむ場合には、利用者は、ＯＳＤメニューで映像固定モードを選択し、チャンネル切替、または入力切替などを行う。この操作により、映像切替スイッチは、現在の外部入力モードのままで、音声切替スイッチのみ、切り替わる。したがって、利用者は、他のチャンネルの音声、あるいは他の外部入力機器からの音声を聞くことが可能となり、映像と音声、それぞれ別のソースのものを、同時に楽しむことが可能となる。
【００２９】
また、歌番組や、ＣＤプレーヤーなどの外部機器からの音声を聞いている時等、映像がないものや、映像がなくても十分楽しめる番組を見ている際に、現在の放送、または他の外部入力とは違った映像を楽しむ場合には、利用者は、ＯＳＤメニューで音声固定モードを選択し、チャンネル切替、または入力切替などを行う。この操作により、音声切替スイッチは、現在の放送、または他の外部入力のままで、映像切替スイッチのみ、切替わる。したがって、利用者は、他のチャンネルの映像、あるいは他の外部入力機器からの映像を見ることが可能となり、映像と音声、それぞれ別のソースのものを、同時に楽しむことが可能となる。
【００３０】
<実施形態１の効果の簡単な説明>
本実施形態によれば、音声と映像の出力をそれぞれ独立に切替えることができるので、音声を聴きながら、音声とは無関係の裏番組などの映像を見ることができる。また映像を見ながら、映像とは無関係の裏番組などの音声を聴くことができる。このため、利用者は、飽きることなく、映像と音声をそれぞれ独立に楽しむことができる。したがって、利用者の利便性が大幅に向上することが期待できる。
【００３１】
<<実施形態２>>
以下に、実施形態２について説明する。
<実施形態２の概念>
以下に、本実施形態の概念について説明する。本実施形態のテレビジョン装置は、信号として放送波を選択取得するための複数のチューナ手段を含む実施形態１に記載のテレビジョン装置に関する。
【００３２】
<構成要件の明示>
以下に、本実施形態のテレビジョン装置の構成要件を明示する。
図７は、本実施形態のテレビジョン装置の機能ブロックの一例を示す図である。テレビジョン装置０７００は、映像音声信号選択取得部０７０１と、映像音声選択出力部０７０２、０７０３、０７０４、０７０５と、映像情報処理部０７０６と、音声情報処理部０７０７と、からなる。また、映像音声信号選択取得部は、チューナ手段０７０８、０７０９、０７１０、０７１１を有する。なお、映像音声選択出力部、チューナ手段は、それぞれ四つに限定されるものではなく、二つ以上であればよい。
【００３３】
<構成要件の説明>
以下に、本実施形態の構成要件の説明をする。
（映像音声信号選択取得部）
（チューナ手段）
映像音声信号選択取得部は、複数のチューナ手段を含む。ここで「チューナ手段」とは、信号として放送波を選択取得する手段のことをいう。また「放送波」には、アナログ・デジタルの地上波、衛星放送波などが該当する。放送波には、テレビジョン放送、ラジオ放送が含まれる。チューナ手段としては、例えば、アナログ放送用チューナ（地上波、衛星放送波対応）、デジタル放送用チューナ（地上波、衛星放送波対応）などが該当する。独立して同時に複数選択取得された該信号は、それぞれに対応した複数の映像音声選択出力部に送出される。
なお、図７においては、チューナ手段１、チューナ手段２、チューナ手段３、チューナ手段４は、それぞれ「映像情報又は／及び音声情報１」、「映像情報又は／及び音声情報２」、「映像情報又は／及び音声情報３」、「映像情報又は／及び音声情報４」を選択取得する。また映像音声選択出力部１、映像音声選択出力部２、映像音声選択出力部３、映像音声選択出力部４は、それぞれチューナ手段１、チューナ手段２、チューナ手段３、チューナ手段４に対応している。また映像情報処理部は、映像音声選択出力部１から出力された映像情報を取得する。音声情報処理部は、映像音声選択出力部２から出力された音声情報を取得する。例えば、チューナ手段１は、アナログ地上波用チューナ、チューナ手段２は、アナログ衛星放送波用チューナ、チューナ手段３は、デジタル地上波用チューナ、チューナ手段４は、デジタル衛星放送波用チューナとする。この場合には、アナログ地上波用の映像情報（スポーツなど）を観ながら、アナログ衛星放送波用の音声情報（例えば音楽番組など）を聴くことができる。また、アナログ地上波の番組（例えば１チャンネル）の映像情報と裏番組（例えば２チャンネル）のアナログ地上波の音声情報を視聴したい場合には、例えば、チューナ手段１、チューナ手段２ともに、アナログ地上波用チューナとすればよい。なお、複数選択取得される映像情報又は／及び音声情報は、四つに限定されるものではなく、二つ以上であればよい。
【００３４】
（映像音声選択出力部）、（映像情報処理部）、（音声情報処理部）
映像音声選択出力部、映像情報処理部、音声情報処理部については、実施形態１と同様なので、説明を省略する。
【００３５】
<処理の流れ>
本実施形態の処理の流れは、チューナ手段が映像情報又は／及び音声情報をチューニングするチューニングステップを有する以外は実施形態１と同様なので、説明を省略する。
【００３６】
<実施形態２の効果の簡単な説明>
本実施形態によれば、音声と映像の出力をそれぞれ独立に切替えることができるので、音声を聴きながら、音声とは無関係の裏番組などの映像を観ることができる。また映像を観ながら、映像とは無関係の裏番組などの音声を聴くことができる。このため、利用者は、飽きることなく、映像と音声をそれぞれ独立に楽しむことができる。したがって、利用者の利便性が大幅に向上することが期待できる。
【００３７】
<<実施形態３>>
以下に、実施形態３について説明する。
<実施形態３の概念>
以下に、本実施形態の概念について説明する。本実施形態のテレビジョン装置は、映像音声信号選択取得部は、信号として有線信号を選択取得するための複数の有線信号入力手段を含む実施形態１又は２に記載のテレビジョン装置に関する。
【００３８】
<構成要件の明示>
以下に、本実施形態のテレビジョン装置の構成要件を明示する。
図８は、本実施形態のテレビジョン装置の機能ブロックの一例を示す図である。テレビジョン装置０８００は、映像音声信号選択取得部０８０１と、映像音声選択出力部０８０２、０８０３、０８０４、０８０５と、映像情報処理部０８０６と、音声情報処理部０８０７と、からなる。また、映像音声信号選択取得部は、有線信号入力手段０８０８、０８０９、０８１０、０８１１を有する。なお、映像音声選択出力部、有線信号入力手段は、それぞれ四つに限定されるものではなく、二つ以上であればよい。
【００３９】
<構成要件の説明>
以下に、本実施形態の構成要件の説明をする。
（映像音声信号選択取得部）
（有線信号入力手段）
映像音声信号選択取得部は、複数の有線信号入力手段を含む。ここで「有線信号入力手段」とは、信号として有線信号を選択取得する手段のことをいう。また「有線信号」には、ケーブルテレビの有線放送の信号、インターネット上のストリーミング放送の信号、オーディオ機器、ビデオ機器、ＤＶＤ機器、ゲーム機器などの外部機器からの信号が該当する。有線信号入力手段としては、例えば、オーディオ機器、ビデオ機器、ＤＶＤ機器、ゲーム機器などに対応した外部入力端子が該当する。独立して同時に複数選択取得された該信号は、それぞれに対応した複数の映像音声選択出力部に送出される。
なお、図８においては、有線信号入力手段１、有線信号入力手段２、有線信号入力手段３、有線信号入力手段４は、それぞれ「映像情報又は／及び音声情報１」、「映像情報又は／及び音声情報２」、「映像情報又は／及び音声情報３」、「映像情報又は／及び音声情報４」を選択取得する。また映像音声選択出力部１、映像音声選択出力部２、映像音声選択出力部３、映像音声選択出力部４は、それぞれ有線信号入力手段１、有線信号入力手段２、有線信号入力手段３、有線信号入力手段４に対応している。また映像情報処理部は、映像音声選択出力部１から出力された映像情報を取得する。音声情報処理部は、映像音声選択出力部２から出力された音声情報を取得する。例えば、有線信号入力手段１は、ＤＶＤ機器用入力端子、有線信号入力手段２は、オーディオ機器用入力端子、有線信号入力手段３は、ビデオ機器用入力端子、有線信号入力手段４は、ゲーム機器用入力端子とする。この場合には、ＤＶＤの映像情報を観ながら、ＣＤの音声情報を聴くことができる。また、映像音声信号選択取得部は、複数の有線信号入力手段のみに限定されず、複数の有線信号入力手段と複数のチューナ手段を有する構成とすることもできる。なお、複数選択取得される映像情報又は／及び音声情報は、四つに限定されるものではなく、二つ以上であればよい。
【００４０】
（映像音声選択出力部）、（映像情報処理部）、（音声情報処理部）
映像音声選択出力部、映像情報処理部、音声情報処理部については、実施形態１と同様なので、説明を省略する。
【００４１】
<処理の流れ>
本実施形態の処理の流れは、有線信号入力手段が映像情報又は／及び音声情報を構成する有線信号を入力する有線信号入力ステップを有する以外は実施形態１と同様なので、説明を省略する。
【００４２】
<実施形態３の効果の簡単な説明>
本実施形態によれば、複数の外部機器からの音声と映像の出力をそれぞれ独立に切替えることができるので、ＣＤの音声を聴きながら、ＤＶＤの映像を観ることができる。
【００４３】
<<実施形態４>>
以下に、実施形態４について説明する。
<実施形態４の概念>
以下に、本実施形態の概念について説明する。本実施形態のテレビジョン装置は、映像音声信号選択取得部は、信号として少なくとも放送波を取得するための一のチューナ手段及び、信号として少なくとも有線信号を取得するための一の有線信号入力手段を有する実施形態１に記載のテレビジョン装置に関する。
【００４４】
<構成要件の明示>
以下に、本実施形態のテレビジョン装置の構成要件を明示する。
図９は、本実施形態のテレビジョン装置の機能ブロックの一例を示す図である。テレビジョン装置０９００は、映像音声信号選択取得部０９０１と、映像音声選択出力部０９０２、０９０３、０９０４、０９０５と、映像情報処理部０９０６と、音声情報処理部０９０７と、からなる。また、映像音声信号選択取得部は、チューナ手段０９０８、０９１０と、有線信号入力手段０９０９、０９１１と、を有する。なお、映像音声選択出力部は、四つに限定されるものではなく、二つ以上であればよい。また、チューナ手段、有線信号入力手段は、二つに限定されるものではなく、それぞれ一つ以上であればよい。
【００４５】
<構成要件の説明>
以下に、本実施形態の構成要件の説明をする。
（映像音声信号選択取得部）
映像音声信号選択取得部は、信号として少なくとも放送波を取得するための一のチューナ手段及び、信号として少なくとも有線信号を取得するための一の有線信号入力手段を有する。
（チューナ手段）
チューナ手段については、実施形態２と同様なので説明を省略する。
（有線信号入力手段）
有線信号入力手段については、実施形態３と同様なので説明を省略する。
上記以外の映像音声信号選択取得部については、実施形態１の説明と同様なので説明を省略する。
【００４６】
（映像音声選択出力部）、（映像情報処理部）、（音声情報処理部）
映像音声選択出力部、映像情報処理部、音声情報処理部については、実施形態１と同様なので、説明を省略する。
【００４７】
（テレビジョン装置）
【００４８】
本実施形態のテレビジョン装置は、少なくとも一のチューナ手段及び、少なくとも一の有線信号入力手段を有している。このため、例えば、放送波の映像の中から好きな映像を選択し、音声に関しては好きな音楽をＣＤなどの外部機器から選択することができる。
【００４９】
<処理の流れ>
本実施形態の処理の流れは、チューナ手段が映像情報又は／及び音声情報をチューニングするチューニングステップを有し、有線信号入力手段が映像情報又は／及び音声情報を構成する有線信号を入力する有線信号入力ステップを有する以外は実施形態１と同様なので、説明を省略する。
【００５０】
<実施形態４の効果の簡単な説明>
本実施形態のテレビジョン装置は、少なくとも一のチューナ手段と、少なくとも一の有線信号入力手段を有するので、ＣＤの音声を聴きながら、テレビジョン放送の映像を観ることができる。あるいは、ラジオ放送の音声を聴きながら、ＤＶＤの映像を観ることができる。
【００５１】
<<実施形態５>>
以下に、実施形態５について説明する。
<実施形態５の概念>
以下に、本実施形態の概念について説明する。本実施形態のテレビジョン装置は、映像音声信号選択取得部は、利用者が選択操作するための選択操作手段を有し、選択操作手段は、取得すべき複数の信号を選択する手段の間で相互に独立に操作可能である独立操作器を有する実施形態１に記載のテレビジョン装置に関する。
【００５２】
<構成要件の明示>
以下に、本実施形態のテレビジョン装置の構成要件を明示する。
図１０は、本実施形態のテレビジョン装置の機能ブロックの一例を示す図である。テレビジョン装置１０００は、映像音声信号選択取得部１００１と、映像音声選択出力部１００２、１００３、１００４、１００５と、映像情報処理部１００６と、音声情報処理部１００７と、からなる。また、映像音声信号選択取得部は、選択操作手段１００８を有する。さらに選択操作手段は、独立操作器１００９、１０１０を有する。なお、映像音声選択出力部は、四つに限定されるものではなく、二つ以上であればよい。
【００５３】
<構成要件の説明>
以下に、本実施形態の構成要件の説明をする。
（映像音声信号選択取得部）
映像音声信号選択取得部は、選択操作手段を有する。選択操作手段について以下に述べる。
（選択操作手段）
「選択操作手段」とは、利用者が選択操作する手段のことをいう。ここで「選択操作」とは、映像情報又は／及び音声情報を構成するための信号を独立して同時に複数選択取得するためにする操作のことをいう。選択操作手段には、一例として、テレビジョン装置側で操作するものや、リモコンにより操作するものなどが挙げられる。選択操作手段をリモコンにより操作する場合には、選択操作手段は、テレビジョン装置本体側にあっても、リモコン側にあってもよい。利用者は、一例として、リモコンによって、映像情報用にデジタルテレビジョン地上波用チューナを選択操作し、音声情報用にアナログテレビジョン衛星放送波用チューナを選択操作することができる。ここで選択操作されたデジタルテレビジョン地上波は「映像音声選択出力部２」に出力される。「映像音声選択出力部２」は取得したデジタルテレビジョン地上波から映像情報を選択し、映像情報処理部に出力する。また選択操作されたアナログテレビジョン衛星放送波は「映像音声選択出力部３」に出力される。「映像音声選択出力部３」は取得したアナログテレビジョン衛星放送波から音声情報を選択し、音声情報処理部に出力する。
また選択操作手段は、独立操作器を有する。独立操作器について以下に述べる。
【００５４】
（独立操作器）
「独立操作器」とは、取得すべき複数の信号を選択する手段の間で相互に独立に操作可能である操作器のことをいう。ここで「手段」には、例えば、アナログ放送用チューナ、デジタル放送用チューナ、ケーブルテレビの有線放送用チューナ、インターネット接続用端子、外部機器（オーディオ・ビデオなど）からの有線信号入力端子などが該当する。
以下に、独立操作器を使用する場合の一例を示す。
図１１は、独立操作器を有するリモコンである。リモコン１１００は、選択操作手段１１０１と、独立操作器１１０２と、リモコンディスプレイ１１０３と、を有する。まず、利用者は、選択操作手段により、映像情報用にデジタルテレビジョン地上波用チューナを選択操作する（つまり、図１１の映像情報用のデジタルテレビジョン地上波用チューナを表すボタン「デジタルテレビジョン地上波（映）」を選択する）。次に、利用者は、選択操作手段により、音声情報用にアナログ衛星放送波用チューナを選択操作する（つまり、図１１の音声情報用のアナログテレビジョン衛星放送波用チューナを表すボタン「アナログテレビジョン衛星放送波（音）」を選択する）。以上の操作により、例えば、利用者は、デジタルテレビジョン地上波の特定の映像を観ながら、アナログテレビジョン衛星放送波の特定の音声を聴くことができる。ここで、現在、利用者が視聴している特定の映像や特定の音声をそれぞれ独立に変えたい場合には、独立操作器を使用して以下の操作をすることにより、特定の映像や特定の音声を変更することができる。
【００５５】
まず、映像を音声と独立に変更したい場合の操作について説明する。利用者は、独立操作器（映像）を操作し（つまり、図１１の映像情報を表すボタン「映像」を操作する）、デジタルテレビジョン地上波の放送の中から所望の映像を選択する。この操作は、デジタルテレビジョン地上波の放送チャンネルを選択する操作に該当する。選択されたチャンネルのデジタルテレビジョン地上波の信号は、映像音声選択出力部に出力される。映像音声選択出力部は、受信したチャンネルの信号から映像情報を選択し、映像情報処理部に出力する。映像情報処理部は、受信した映像情報を処理し、ディスプレイに表示する。なお、以上の説明においては、独立操作器による映像情報の選択は、デジタルテレビジョン地上波の放送の中から行うようにしたが、本実施形態はそれに限定されるものではない。つまり、独立操作器は、デジタルテレビジョン地上波用チューナ以外の手段、例えば、ＤＶＤ機器の映像情報から選択するように構成されてもよい。
【００５６】
次に、音声を映像と独立に変更したい場合の操作について説明する。利用者は、独立操作器（音声）を操作し（つまり、図１１の音声情報を表すボタン「音声」を操作する）、アナログテレビジョン衛星放送波の放送の中から所望の音声を選択する。この操作は、アナログテレビジョン衛星放送波の放送チャンネルを選択する操作に該当する。選択されたチャンネルのアナログテレビジョン衛星放送波の信号は、映像音声選択出力部に出力される。映像音声選択出力部は、受信したチャンネルの信号から音声情報を選択し、音声情報処理部に出力する。音声情報処理部は、受信した音声情報を処理し、スピーカに出力する。なお、以上の説明においては、独立操作器による音声情報の選択は、アナログテレビジョン衛星放送波の放送の中から行うようにしたが、本実施形態はそれに限定されるものではない。つまり、独立操作器は、アナログテレビジョン衛星放送波用チューナ以外の手段、例えば、オーディオ機器の音声情報から選択するように構成されてもよい。
【００５７】
（映像音声選択出力部）、（映像情報処理部）、（音声情報処理部）
映像音声選択出力部、映像情報処理部、音声情報処理部については、実施形態１と同様なので、説明を省略する。
【００５８】
<処理の流れ>
本実施形態の処理の流れは、実施形態１と同様なので、説明を省略する。
【００５９】
<実施形態５の効果の簡単な説明>
本実施形態のテレビジョン装置は、映像と音声をそれぞれ独立の操作できる独立操作器を有するので、音声を変えながら、映像を観ることができる。また、映像を変えながら、音声を聴くことができる。さらには音声を変えながら映像を変えることもできる。
【００６０】
<<実施形態６>>
以下に、実施形態６について説明する。
<実施形態６の概念>
以下に、本実施形態の概念について説明する。本実施形態のテレビジョン装置は、選択操作手段は、独立操作器に代えて、取得すべき複数の信号を共通の手段で選択する共通操作器と、共通操作器ですでに選択された信号の映像情報又は音声情報を構成するための信号を共通操作器では選択変更不能に固定する固定器と、を有する実施形態５に記載のテレビジョン装置に関する。
【００６１】
<構成要件の明示>
以下に、本実施形態のテレビジョン装置の構成要件を明示する。
図１２は、本実施形態のテレビジョン装置の機能ブロックの一例を示す図である。テレビジョン装置１２００は、映像音声信号選択取得部１２０１と、映像音声選択出力部１２０２、１２０３、１２０４、１２０５と、映像情報処理部１２０６と、音声情報処理部１２０７と、からなる。また、映像音声信号選択取得部は、選択操作手段１２０８を有する。さらに選択操作手段は、共通操作器１２０９と、固定器１２１０と、を有する。なお、映像音声選択出力部は、四つに限定されるものではなく、二つ以上であればよい。
【００６２】
<構成要件の説明>
以下に、本実施形態の構成要件の説明をする。
（映像音声信号選択取得部）
映像音声信号選択取得部は、選択操作手段を有する。また選択操作手段は、共通操作器と、固定器と、を有する。
（選択操作手段）
「選択操作手段」は、共通操作器を有する。共通操作器について以下に述べる。
【００６３】
（共通操作器）
「共通操作器」とは、取得すべき複数の信号を共通の手段で選択する操作器のことをいう。ここで「手段」には、例えば、アナログ放送用チューナ、デジタル放送用チューナ、ケーブルテレビの有線放送用チューナ、インターネット接続用端子、外部機器（オーディオ・ビデオなど）からの有線信号入力端子などが該当する。一例として、利用者は、共通操作器の操作によって、アナログテレビジョン地上波用チューナでアナログテレビジョン地上波の映像情報と音声情報を選択する。選択されたアナログテレビジョン地上波は「映像音声選択出力部２」（図１２参照）に出力される。「映像音声選択出力部２」は取得したデジタルテレビジョン地上波から映像情報を選択し、映像情報処理部に出力する。また選択操作されたアナログテレビジョン地上波は「映像音声選択出力部２」に出力される。「映像音声選択出力部２」は取得したアナログテレビジョン地上波から音声情報を選択し、音声情報処理部に出力する。
【００６４】
（固定器）
「固定器」は、共通操作器ですでに選択された信号の映像情報又は音声情報を構成するための信号を共通操作器では選択変更不能に固定する。
以下に、共通操作器、固定器を使用する場合の一例を示す。
図１３は、共通操作器、固定器を有するリモコンである。リモコン１３００は、共通操作器１３０１と、固定器１３０２と、リモコンディスプレイ１３０３と、を有する。まず、利用者は、共通操作器により、デジタルテレビジョン地上波用チューナを選択操作する（つまり、図１３のデジタルテレビジョン地上波用チューナを表すボタン「デジタルテレビジョン地上波」を選択する）。以上の操作により、例えば、利用者は、デジタルテレビジョン地上波の特定の映像を観ながら、デジタルテレビジョン地上波の特定の音声を聴くことができる。ここで、現在、利用者が視聴している特定の映像や特定の音声を変えたい場合には、固定器を使用して以下の操作をすることにより、特定の映像や特定の音声を変更することができる。
【００６５】
まず、音声を変更したい場合の操作について説明する。利用者は、固定器（映像）を操作し（つまり、図１３の映像情報を表すボタン「映像」を操作する）、現在、観ているデジタルテレビジョン地上波の映像情報を固定する。固定されたチャンネル（例えば１ｃｈ）のデジタルテレビジョン地上波の信号は、映像音声選択出力部に出力される。映像音声選択出力部は、受信したチャンネルの信号から映像情報を選択し、映像情報処理部に出力する。映像情報処理部は、受信した映像情報を処理し、ディスプレイに出力する。次に、利用者は、共通操作器を操作することにより、デジタルテレビジョン地上波の放送の中から所望のチャンネルを選択する（例えば３ｃｈ）。選択されたチャンネル（３ｃｈ）のデジタルテレビジョン地上波の信号は、映像音声選択出力部に出力される。映像音声選択出力部は、受信したチャンネルの信号から音声情報を選択し、音声情報処理部に出力する。音声情報処理部は、受信した音声情報を処理し、スピーカに出力する。なお、以上の説明においては、共通操作器による映像情報の選択は、デジタルテレビジョン地上波の放送の中から行うようにしたが、本実施形態はそれに限定されるものではない。つまり、共通操作器は、デジタルテレビジョン地上波用チューナ以外の手段、例えば、オーディオ機器の音声情報から選択するように構成されてもよい。
【００６６】
次に、映像を変更したい場合の操作について説明する。利用者は、固定器（音声）を操作し（つまり、図１３の音声情報を表すボタン「音声」を操作する）、現在、聴いているデジタルテレビジョン地上波の音声情報を固定する。固定されたチャンネル（例えば１ｃｈ）のデジタルテレビジョン地上波の信号は、映像音声選択出力部に出力される。映像音声選択出力部は、受信したチャンネルの信号から音声情報を選択し、音声情報処理部に出力する。音声情報処理部は、受信した音声情報を処理し、スピーカに出力する。次に、利用者は、共通操作器を操作することにより、デジタルテレビジョン地上波の放送の中から所望のチャンネルを選択する（例えば３ｃｈ）。選択されたチャンネル（３ｃｈ）のデジタルテレビジョン地上波の信号は、映像音声選択出力部に出力される。映像音声選択出力部は、受信したチャンネルの信号から映像情報を選択し、映像情報処理部に出力する。映像情報処理部は、受信した映像情報を処理し、ディスプレイに出力する。なお、以上の説明においては、共通操作器による映像情報の選択は、デジタルテレビジョン地上波の放送の中から行うようにしたが、本実施形態はそれに限定されるものではない。つまり、共通操作器は、デジタルテレビジョン地上波用チューナ以外の手段、例えば、ＤＶＤ機器の映像情報から選択するように構成されてもよい。
【００６７】
（映像音声選択出力部）、（映像情報処理部）、（音声情報処理部）
映像音声選択出力部、映像情報処理部、音声情報処理部については、実施形態１と同様なので、説明を省略する。
【００６８】
<処理の流れ>
本実施形態の処理の流れは、実施形態１と同様なので、説明を省略する。
【００６９】
<実施形態６の効果の簡単な説明>
本実施形態のテレビジョン装置は、共通操作器と、固定器と、を有するので、映像を固定して音声のみ変更することができる。また、音声を固定して映像のみ変更することができる。
【００７０】
<<実施形態７>>
以下に、実施形態７について説明する。
<実施形態７の概念>
以下に、本実施形態の概念について説明する。本実施形態のテレビジョン装置は、テキスト情報、映像情報、音声情報のいずれか一又は二以上を構成するための信号を独立して同時に複数取得し、一つは映像信号として使用し、一つは音声信号として使用し、一つはテキスト情報として使用する。本実施形態においては、映像情報、音声情報のみでなくテキスト情報についても出力が可能となっている点が実施形態１から５と相違している。このため、音楽番組など（音声のみ）を聴きながら、スポーツ番組など（映像のみ）をテキスト情報（字幕など）付きで楽しむことができる。
図１４は、実施形態７の概念の一例を示すための図である。テレビジョン装置１４００は、スピーカ１４０１、１４０２より音楽番組の音声を出力し、ディスプレイ１４０３よりスポーツ番組（サッカー）の映像を出力する。また、ディスプレイには、テキスト情報１４０４（例えば、関東地方  明日の天気は晴れ）を出力することができる。このためテレビの利用者は、好きな音声と好きな映像と好きなテキスト情報をそれぞれ独立に組み合わせて視聴することができる。
【００７１】
<構成要件の明示>
以下に、本実施形態のテレビジョン装置の構成要件を明示する。
図１５は、本実施形態のテレビジョン装置の機能ブロックの一例を示す図である。テレビジョン装置１５００は、信号取得部１５０１と、選択出力部１５０２、１５０３、１５０４、１５０５と、映像情報処理部１５０６と、音声情報処理部１５０７と、テキスト情報処理部１５０８と、からなる。なお、選択出力部は、四つに限定されるものではなく、二つ以上であればよい。
【００７２】
<構成要件の説明>
以下に、本実施形態の構成要件の説明をする。
（信号取得部）
「信号取得部」は、テキスト情報、映像情報、音声情報のいずれか一又は二以上を構成するための信号を独立して同時に複数取得する。ここで「テキスト情報」には、文字放送のテキスト、英語字幕放送用のクローズドキャプションなどが該当する。取得したテキスト情報は選択出力部に出力される。信号取得部は、テキスト情報を構成するための信号を取得できること以外は、実施形態１の映像音声信号選択取得部の説明と同様であるので説明を省略する。
なお、図１５においては、信号取得部は、「映像情報又は／及び音声情報１」、「映像情報又は／及び音声情報２」、「映像情報又は／及び音声情報３」、「テキスト情報」を選択取得するものとしている。
【００７３】
（選択出力部）
複数の「選択出力部」は、信号取得部が取得したそれぞれの信号に基づいて、テキスト情報か、映像情報か、音声情報か、を選択して出力する。選択して出力されたテキスト情報はテキスト情報処理部に送出される。選択取得部がテキスト情報を選択してテキスト情報処理部に送出する以外の点は、実施形態１の映像音声選択出力部の説明と同様であるので説明を省略する。
【００７４】
なお、図１５においては、「映像情報又は／及び音声情報１」、「映像情報又は／及び音声情報２」、「映像情報又は／及び音声情報３」、「テキスト情報」にそれぞれ対応して、「選択出力部１」、「選択出力部２」、「選択出力部３」、「選択出力部４」が存在するものとしている。図１５の場合には、「選択出力部１」の映像情報と、「選択出力部２」の音声情報と、「選択出力部４」のテキスト情報が選択されてそれぞれ映像情報処理部と、音声情報処理部と、テキスト情報処理部に出力されているものとしている。なお、複数選択取得される映像情報又は／及び音声情報は、三つに限定されるものではなく、二つ以上であればよい。
【００７５】
（映像情報処理部）、（音声情報処理部）
映像情報処理部、音声情報処理部については、実施形態１と同様なので説明を省略する。
【００７６】
（テキスト情報処理部）
テキスト情報処理部は、複数の選択出力部のさらに他の一から出力されるテキスト情報を外部出力のために処理する。ここで「処理」とは、テキスト情報処理部に入力されたテキスト情報を外部出力可能な情報に変換することをいう。処理には、一例として、変調されたテキスト情報を復調することが挙げられる。また「外部出力」には、ディスプレイへのテロップなどが該当する。
【００７７】
<処理の流れ>
本実施形態の処理の流れは、テキスト情報を処理することができること以外は、実施形態１と同様なので説明を省略する。
【００７８】
<実施形態７の効果の簡単な説明>
本実施形態によれば、音声と映像の出力をそれぞれ独立に切替えることができるだけでなく、文字放送のテキスト情報を同時にディスプレイに表示することができる。このため、スポーツ番組の映像、音楽番組の音声を視聴しながら、天気予報などのテキスト情報を得ることができる。
【産業上の利用可能性】
【００７９】
本件発明は、テレビジョン放送などの、映像、音声出力を、それぞれ独立して切替えることができるテレビジョン装置に利用できる。
【図面の簡単な説明】
【００８０】
【図１】実施形態１の概念図
【図２】実施形態１の機能ブロック図
【図３】実施形態１の映像、音声選択の説明図
【図４】実施形態１の処理の流れ
【図５】実施形態１の実施例１のテレビジョン装置の外観図
【図６】実施形態１の実施例１のテレビジョン装置の機能ブロック図
【図７】実施形態２の機能ブロック図
【図８】実施形態３の機能ブロック図
【図９】実施形態４の機能ブロック図
【図１０】実施形態５の機能ブロック図
【図１１】実施形態５の選択操作手段、独立操作器の説明図
【図１２】実施形態６の機能ブロック図
【図１３】実施形態６の共通操作器、固定器の説明図
【図１４】実施形態７の概念図
【図１５】実施形態７の機能ブロック図
【符号の説明】
【００８１】
０１００  テレビジョン装置
０１０１  スピーカ
０１０２  スピーカ
０１０３  ディスプレイ
【図１】
2005354208.tif 000003
【図２】
2005354208.tif 000004
【図３】
2005354208.tif 000005
【図４】
2005354208.tif 000006
【図５】
2005354208.tif 000007
【図６】
2005354208.tif 000008
【図７】
2005354208.tif 000009
【図８】
2005354208.tif 000010
【図９】
2005354208.tif 000011
【図１０】
2005354208.tif 000012
【図１１】
2005354208.tif 000013
【図１２】
2005354208.tif 000014
【図１３】
2005354208.tif 000015
【図１４】
2005354208.tif 000016
【図１５】
2005354208.tif 000017